(57)【特許請求の範囲】
【請求項１】
プラントデータが格納されたプラントデータサーバ、
このプラントデータサーバに格納された上記プラントデータを、このプラントデータの表示方法を示す複数のプラント監視機能のうちのいずれかによる表示を行って監視する表示端末とを備え、
上記プラントデータサーバは、上記表示端末からの要求により、同じ画面に表示させる複数のプラントデータと上記プラント監視機能とを対応付けて形成されたグループを、特定のフォルダに登録するとともに、この登録された上記グループに属する上記プラントデータのアドレスへのリンクを上記特定のフォルダに保存するグループ化手段を有し、
上記特定のフォルダに登録された上記グループを上記表示端末上に表示し、この表示された上記グループが選択されることにより、当該グループの上記リンクにより上記プラントデータを読み出し、対応する上記プラント監視機能により上記表示端末上に表示することを特徴とするプラント監視装置。
【請求項２】
上記プラントデータは、最新の上記プラントデータと過去の上記プラントデータとを含むことを特徴とする請求項１記載のプラント監視装置。
【請求項３】
上記過去のプラントデータは、リムーバブルディスク内に保存されていることを特徴とする請求項２記載のプラント監視装置。
【請求項４】
上記表示端末の画面が分割されるとともに、上記表示端末上に表示された上記グループのうちから、上記分割数より少ない数のグループが選択された場合に、上記選択されたグループはそれぞれ上記分割された画面に表示されることを特徴とする請求項１〜請求項３のいずれか一項に記載のプラント監視装置。
【請求項５】
上記表示端末上に表示された上記グループのうちから、複数のグループが選択された場合に、上記選択されたグループはそれぞれウィンドウ画面に表示されることを特徴とする請求項１〜請求項３のいずれか一項に記載のプラント監視装置。
【請求項６】
上記表示端末上に表示された上記グループのうちから、複数のグループが選択された場合に、上記選択された複数のグループを、同一画面上に一定間隔で自動切換えして表示することを特徴とする請求項１〜請求項３のいずれか一項に記載のプラント監視装置。
【発明の詳細な説明】
【技術分野】
【０００１】
この発明は、フロー画面、トレンドグラフ、計装制御画面のようなプラント監視機能を用いてプラントデータの監視を行うプラント監視装置に関するものである。
【背景技術】
【０００２】
水処理プラントに代表される大規模施設の運用状態管理には、各プラント機器・装置などから送られてくるプラントデータを収集し、格納するプラントデータサーバや、プラントデータを表示する表示端末（これらを総称して、プラント監視装置という）などが利用されており、オペレータは必要に応じて表示端末からプラントデータサーバにアクセスし、プラントデータサーバに格納されているプラントデータを表示端末上に表示して、プラントデータを監視することができる。
しかし、プラントデータサーバに格納されるプラントデータ数は莫大であり、これまでのプラント監視装置では、任意のプラントデータを見つけ出して表示するまでに、多くの手間（操作数）と時間を要した。
このため、特許文献１などの従来技術では、プラントデータサーバに格納されているプラントデータの格納先アドレスをある一定の法則にしたがって分類し、ナビゲーションツリーなどの階層構造を利用して表示端末上に表示させることで、オペレータは、表示端末上に表示された各階層の見出しのみを参照して、目的とするプラントデータの格納先アドレスを判定することができるようになっている。
また、階層の最下位に、プラントデータ格納先アドレスへのリンクを設けることで、オペレータは、リンクをアクセスするだけで、目的のプラントデータを表示端末に表示させ、監視することが可能になっていた。
【先行技術文献】
【特許文献】
【０００３】
【特許文献１】特表２００６−５２７４２６号公報（第１０〜３２頁、図２２）
【発明の概要】
【発明が解決しようとする課題】
【０００４】
特許文献１などでは、プラントデータサーバに格納されているプラントデータの格納先アドレスを、階層構造を利用してオペレータに分かりやすく提示することで、オペレータは、目的とするプラントデータの格納先アドレスを一目で判定し、格納先アドレスへのリンクをアクセスするだけで、目的のプラントデータを表示端末に表示させ、監視することが可能であった。
しかし、プラントデータのトレンドグラフを監視したい場合や、プラントデータの計装制御を行いたい場合など、プラント監視機能を使用してプラントデータを監視したい場合には、まず、オペレータが目的とするプラント監視機能をプラント監視機能一覧から選択して、プラント監視機能のベース画面を表示端末に表示し、この表示されたベース画面に監視したいプラントデータを、オペレータが一つずつ選択して画面に割付け、表示端末に表示させる必要があった。
また、別のプラントデータを監視したい場合や、別のプラント監視機能上でプラントデータを監視したい場合には、再度プラント監視機能一覧から目的とするプラント監視機能を選択して、プラント監視機能のベース画面を表示端末に表示し、監視したいプラントデータを一つずつ選択して割付け、表示端末に表示させるという、一連の操作を行う必要があり、どちらの場合にも多大な手間（操作数）と時間を要していた。
【０００５】
この発明は、上記のような課題を解決するためになされたものであり、監視したいプラ
ントデータ及びこのプラントデータの監視に用いられるプラント監視機能の表示を簡易化したプラント監視装置を得ることを目的にしている。
【課題を解決するための手段】
【０００６】
この発明に係わるプラント監視装置においては、プラントデータが格納されたプラントデータサーバ、このプラントデータサーバに格納されたプラントデータを、このプラントデータの表示方法を示す複数のプラント監視機能のうちのいずれかによる表示を行って監視する表示端末とを備え、プラントデータサーバは、表示端末からの要求により、同じ画面に表示させる複数のプラントデータとプラント監視機能とを対応付けて形成されたグループを、特定のフォルダに登録するとともに、この登録されたグループに属するプラントデータのアドレスへのリンクを特定のフォルダに保存するグループ化手段を有し、特定のフォルダに登録されたグループを表示端末上に表示し、この表示されたグループが選択されることにより、当該グループのリンクによりプラントデータを読み出し、対応するプラント監視機能により表示端末上に表示するものである。
【発明の効果】
【０００７】
この発明は、以上説明したように、プラントデータが格納されたプラントデータサーバ、このプラントデータサーバに格納されたプラントデータを、このプラントデータの表示方法を示す複数のプラント監視機能のうちのいずれかによる表示を行って監視する表示端末とを備え、プラントデータサーバは、表示端末からの要求により、同じ画面に表示させる複数のプラントデータとプラント監視機能とを対応付けて形成されたグループを、特定のフォルダに登録するとともに、この登録されたグループに属するプラントデータのアドレスへのリンクを特定のフォルダに保存するグループ化手段を有し、特定のフォルダに登録されたグループを表示端末上に表示し、この表示されたグループが選択されることにより、当該グループのリンクによりプラントデータを読み出し、対応するプラント監視機能により表示端末上に表示するので、オペレータは、特定フォルダに表示されたグループを選択するだけで、該当するプラントデータを、対応するプラント監視機能により表示させることができる。
【図面の簡単な説明】
【０００８】
【図１】この発明の実施の形態１によるプラント監視システムのハードウェア構成を示す構成図である。
【図２】この発明の実施の形態１によるプラント監視装置を示す構成図である。
【図３】この発明の実施の形態１によるプラント監視装置を説明するための説明図である。
【図４】この発明の実施の形態１によるプラント監視装置の動作を示すフロー図である。
【図５】図４につづくプラント監視装置の動作を示すフロー図である。
【図６】この発明の実施の形態２によるプラント監視装置を説明するための説明図である。
【図７】この発明の実施の形態２によるプラント監視装置の動作を示すフロー図である。
【図８】この発明の実施の形態３によるプラント監視装置を説明するための説明図である。
【図９】この発明の実施の形態３によるプラント監視装置の動作を示すフロー図である。
【図１０】この発明の実施の形態４によるプラント監視装置を説明するための説明図である。
【図１１】この発明の実施の形態４によるプラント監視装置の動作を示すフロー図である。
【図１２】図１１につづくプラント監視装置の動作を示すフロー図である。
【図１３】この発明の実施の形態４によるプラント監視装置の画面例を示す図である。
【図１４】この発明の実施の形態５によるプラント監視装置を説明するための説明図である。
【図１５】この発明の実施の形態５によるプラント監視装置の動作を示すフロー図である。
【図１６】図１５につづくプラント監視装置の動作を示すフロー図である。
【図１７】この発明の実施の形態５によるプラント監視装置の画面例を示す図である。
【図１８】この発明の実施の形態６によるプラント監視装置を説明するための説明図である。
【図１９】この発明の実施の形態６によるプラント監視装置の動作を示すフロー図である。
【発明を実施するための形態】
【０００９】
実施の形態１．
以下、この発明の実施の形態１を図に基づいて説明する。
図１は、この発明の実施の形態１によるプラント監視システムのハードウェア構成を示す構成図である。
プラント監視システムは、プラントデータ（以下、データ）を計測するプラント機器５００、プラント機器５００にて計測されたデータを処理するプラント情報処理装置４００、プラント情報処理装置４００にて処理されたデータを伝送するプラント制御ネットワーク６００、プラント制御ネットワーク６００を介してデータを収集し、格納するプラントデータサーバ２００（以下、データサーバ）、データサーバ２００に格納されたデータを表示する表示端末１００から構成される。また必要時、リムーバブルディスク３００をデータサーバ２００に接続して使用する。
表示端末１００、データサーバ２００、リムーバブルディスク３００を総称してプラント監視装置という。
【００１０】
図２は、この発明の実施の形態１によるプラント監視装置を示す構成図である。
図２に示されるお気に入り機能（グループ化手段）とは、オペレータが予め頻繁に使用するデータを、フロー画面、トレンドグラフ、計装制御画面（設定値の入力を行う画面）のようなプラント監視機能に割付け、グループとして登録し、グループ情報が格納されているアドレスへのリンクを、お気に入りフォルダ内に纏めて保存しておく機能である。
図２において、表示端末１００は、パソコンなどにより構成され、オペレータからの入力情報の処理及び、データサーバ２００からの出力情報の処理をする表示端末入出力１１０、データサーバ２００とのインタフェース（以下、Ｉ／Ｆ）処理を行うＩ／Ｆ処理１２０からなる。
データサーバ２００は、表示端末１００とのＩ／Ｆ処理を行うＩ／Ｆ処理２１０、データを表示する際に用いるプラント監視機能を管理するプラント監視機能一括管理２２０、個々のプラント監視機能を、各々管理する機能（トレンドグラフ管理２３０ａ、計装制御画面管理２３０ｂなどを含む）、オペレータがプラント監視機能と共に、予め頻繁に使用するデータを纏めて登録したグループを纏めて管理するグループ管理（トレンドグループ管理２４０ａ、計装グループ管理２４０ｂなどを含む。）、グループ内のデータ情報を管理する機能（グループＡ管理２４１ａなど）からなる。このうち、トレンドグループ管理２４０ａ、計装グループ管理２４０ｂ、グループ管理Ａ２４１ａ、グループ管理Ｃ２４３ａ、グループＡ管理２４１ｂなどは、お気に入り機能を構成している。
ここで、各グループには、一緒に表示したい複数のデータとそれぞれのプラント監視機能が含まれる。ただし、トレンドグラフと計装とは同じグループには入らない。
【００１１】
図２では、オペレータが、表示端末１００にて、任意のプラント監視機能と任意のデータ（複数個可）を選択し、グループ登録ボタンを押下すると、表示端末入出力１１０によってグループ情報が取り込まれ、表示端末側Ｉ／Ｆ処理１２０及び、サーバ側Ｉ／Ｆ処理２１０を経由して、プラント監視機能一括管理２２０へ送信される。
なお、オペレータの選択には、データの種類とプラント監視機能とデータの表示順序などが含まれる。
プラント監視機能一括管理２２０にて、オペレータの登録したグループ情報がどのプラント監視機能を使用しているか判定され、使用しているプラント監視機能の管理（図２では、トレンドグラフ管理２３０ａ）に対し、グループ情報が送信される。
トレンドグラフ管理２３０ａは、受信したグループ情報を、トレンドグループ管理２４０ａに送信し、トレンドグループ管理２４０ａによって、グループ情報を管理するグループ管理（図２では、グループＣ管理２４３ａ）が新規作成され、グループＣ管理２４３ａにてグループ情報が管理されるようになっている。
これにより、グループを指定すれば、対応するデータの種類とプラント監視機能とデータの表示順序などが呼び出されるようになっている。
【００１２】
図３は、この発明の実施の形態１によるプラント監視装置を説明するための説明図である。
図３は、お気に入り機能を利用したデータ一括表示機能の構成を示しており、図２のお気に入り機能に、データ格納部からのデータ収集機能を付加したシステムである。
図３において、１００、２００、１１０、１２０、２１０、２２０、２３０ａ、２４０ａ、２４１ａは図２におけるものと同一のものである。図３では、データサーバ２００には、プラント制御ネットワークを介して収集したデータを一時的に保管するデータバッファ部２５５、データバッファ部２５５に保管されているデータの管理を行うデータバッファ管理２５０、データバッファ部２５５が新規データを受信する前に、データバッファ部２５５に保管中のデータを受け取り、最終的に格納するデータ格納部２６０からなる。
データバッファ部２５５とデータ格納部２６０内のデータは、少なくともデータ種類ごとに抽出できるように格納されている。
また、データバッファ部２５５からデータ格納部２６０へのデータの格納は、例えば定周期で行う。
なお、図３以下の説明では、グループ管理２４０ａは、トレンドグループ管理を示している。
【００１３】
図３で、オペレータが、表示端末１００より、表示端末１００に表示させたいグループ（例として、トレンドグラフ“グループＡ”）を選択し、表示リクエストを送信すると、プラント監視機能一括管理２２０がリクエストを受信し、プラント監視機能の内、トレンドグラフを一括して管理するトレンドグラフ管理２３０ａに対し、“グループＡ”データの送信リクエストを送信する。
リクエストを受信したトレンドグラフ管理２３０ａは、トレンドグラフを使用したグループを一括して管理するグループ管理２４０ａに対し、“グループＡ”データの送信リクエストを送信する。“グループＡ”データの送信リクエストを受信したグループ管理２４０ａは、グループＡ管理２４１ａを参照して、“グループＡ”として如何なるデータが登録されているのかを確認し、データバッファ管理２５０に対し、登録されているデータの送信指令を送信する。データバッファ管理２５０は、グループ管理２４０ａからのデータ送信指令を受信する。
データ送信指令を受信したデータバッファ管理２５０は、グループ管理２４０ａに対し、対象データを送信する。
【００１４】
＜初回データ送信時＞
データ送信指令を受信したデータバッファ管理２５０は、グループ管理２４０ａに対し
、データ送信指令受信時に、データバッファ部２５５に保管されている対象データを送信する。データを受信したグループ管理２４０ａは、トレンドグラフ管理２３０ａに対し、受信データを送信する。
データを受信したトレンドグラフ管理２３０ａは、プラント監視機能一括管理２２０に対し、トレンドグラフベース画面（値のない画面）に受信データを割付け、これらを纏めてトレンドグラフグループＡ画面データとして送信する。画面データを受信したプラント監視機能一括管理２２０は、表示端末１００に対し、画面データを送信し、これを受信した表示端末入出力１１０は、表示端末１００にトレンドグラフグループＡ画面データを表示する。
【００１５】
＜二回目以降データ送信時＞
データバッファ管理２５０は、データバッファ部２５５に新規データが格納される度、グループ管理２４０ａに対し、新規データを送信する。新規データを受信したグループ管理２４０ａは、トレンドグラフ管理２３０ａに対し、受信データを送信する。
新規データを受信したトレンドグラフ管理２３０ａは、プラント監視機能一括管理２２０に対し、受信データを送信する。新規データを受信したプラント監視機能一括管理２２０は、表示端末に対し、受信データを送信し、これを受信した表示端末入出力１１０は、表示端末１００に表示されているトレンドグラフグループＡ画面データを更新する。
トレンドグラフグループＡ画面データは、オペレータが表示終了ボタンを押下するまで、表示端末１００上で更新され、表示され続ける。
【００１６】
図４は、この発明の実施の形態１によるプラント監視装置の動作を示すフロー図である。
図５は、図４につづくプラント監視装置の動作を示すフロー図である。
【００１７】
次に、プラント監視装置の動作について、図４、図５のフロー図を用いて説明する。
オペレータは予め、任意のプラント監視機能に対し、頻繁に使用するデータを任意に割付け、グループ（画面データ）として登録し、データサーバ２００内にグループに関する情報を記憶させ、記憶させたメモリ上のアドレスへのリンクを“お気に入り”フォルダ内に保持して、表示端末１００に表示する。
オペレータが、表示端末１００にて、表示端末１００に表示させたいグループ（例として、トレンドグラフ“グループＡ”）を選択し、表示リクエストを送信すると、表示端末１００がトレンドグラフ“グループＡ”の画面データを受信し、目的の画面データが表示端末１００に表示される。
また、オペレータが終了を選択するまでの間、表示端末１００に表示されている画面データは表示及び、適宜更新を続ける。
【００１８】
図４、図５の各ステップの詳細は、以下の通りである。
※印はオペレータが行う動作を、Ｓｔｅｐはシステムが行う動作を各々示す。
※１．
オペレータは予め、任意のプラント監視機能に対し、頻繁に使用するデータを任意に割付け、グループ（画面データ）として登録し、データサーバ２００内にグループに関する情報を記憶させ、記憶させたメモリ上のアドレスへのリンクを“お気に入り”フォルダ内に保存する。
※２．
オペレータが、表示端末１００にて、“お気に入り”フォルダ内から、表示端末１００に表示させたいグループ（例として、トレンドグラフ“グループＡ”）を選択し、表示リクエストを送信する。
【００１９】
Ｓｔｅｐ１０．
オペレータより、トレンドグラフ“グループＡ”表示リクエストを入力された表示端末入出力１１０は、表示端末側Ｉ／Ｆ処理１２０を経由して、トレンドグラフ“グループＡ”の表示リクエストを送信する。プラント監視機能一括管理２２０は、サーバ側Ｉ／Ｆ処理２１０を経由して、表示端末入出力１１０から送信されるトレンドグラフ“グループＡ”の表示リクエストを受信する。
Ｓｔｅｐ２０．
プラント監視機能一括管理２２０は、トレンドグラフ管理２３０ａに対し、トレンドグラフ“グループＡ”データの送信リクエストを行う。
Ｓｔｅｐ３０．
トレンドグラフ管理２３０ａは、グループ管理２４０ａに対し、“グループＡ”データの送信リクエストを行う。
【００２０】
Ｓｔｅｐ４０．
グループ管理２４０ａは、グループＡ管理２４１ａを参照し、どのデータが“グループＡ”として登録されているのか、確認を行う。
Ｓｔｅｐ５０．
グループ管理２４０ａは、データバッファ管理２５０に対し、“グループＡ”として登録されているデータの最新値を送信するよう、送信指令を送信する。
【００２１】
Ｓｔｅｐ６０．
データバッファ管理２５０は、グループ管理２４０ａからの、データ送信指令の受信を行う。（本ステップ６０が、データバッファ管理２５０が、グループ管理２４０ａに対し、データ送信を開始するトリガーとなる。本作業は、オペレータが終了を選択するまで、繰り返し継続される。）
Ｓｔｅｐ７０．
データバッファ管理２５０は、グループ管理２４０ａに対し、データバッファ部２５５に格納されているデータの内、送信指令を受けたデータ（最新値）を送信する。
Ｓｔｅｐ８０．
グループ管理２４０ａは、トレンドグラフ管理２３０ａに対し、データバッファ管理２５５から受信したデータを送信する。
【００２２】
以下に記述するＳｔｅｐ９０以降は、初回データ送信時と、二回目以降データ送信時で、進むＳｔｅｐ番号が異なる。
＜初回、データ送信時＞
Ｓｔｅｐ９０．
トレンドグラフ管理２３０ａは、プラント監視機能一括管理２２０に対し、グループ管理２４０ａから受信したデータを、トレンドグラフのベース画面上に割付け、これらを纏めて画面データとして送信する。
Ｓｔｅｐ１００．
プラント監視機能一括管理２２０は、表示端末入出力１１０に対し、サーバ側Ｉ／Ｆ処理２１０を経由して、トレンドグラフ管理２３０ａから受信した画面データを送信する。
表示端末入出力１１０は、表示端末側Ｉ／Ｆ処理１２０を経由して、プラント監視機能一括管理２２０から送信される画面データを受信する。
Ｓｔｅｐ１１０．
表示端末入出力１１０は、受信した画面データを、表示端末１００に表示する。
【００２３】
＜二回目以降、データ送信時＞
Ｓｔｅｐ９１．
トレンドグラフ管理２３０ａは、プラント監視機能一括管理２２０に対し、グループ管理２４０ａから受信した、最新値データの送信を行う。
Ｓｔｅｐ１０１．
プラント監視機能一括管理２２０は、サーバ側Ｉ／Ｆ処理部２１０を経由して、トレンドグラフ管理２３０ａから受信した最新値データを送信する。表示端末入出力１１０は、表示端末側Ｉ／Ｆ処理部１２０を経由して、プラント監視機能一括管理２２０から送信される、最新値データを受信する。
Ｓｔｅｐ１１１．
表示端末入出力１１０は、受信した最新値データを表示端末１００に表示し、トレンドグラフ“グループＡ”画面データを更新する。
【００２４】
※３．
トレンドグラフ“グループＡ”画面データの表示を終了する場合には、オペレータが終了を選択し、トレンドグラフ“グループＡ”画面データの表示を終了する。
トレンドグラフ“グループＡ”画面データの表示を継続する場合には、データバッファ格納部２５５に新規データが格納されたことをデータバッファ管理２５５によって検出された後、自動的にＳｔｅｐ７０（Ｓｔｅｐ９０以降は、二回目以降データ送信時）に進む。
【００２５】
実施の形態１によれば、オペレータは、任意のグループを一度選択するだけで、必要とするプラント監視機能上で、表示したいリアルタイムデータを一度に監視することが可能となるため、データを監視する際に必要だった、プラント監視機能の選択・表示作業及び、データの選択・表示作業に費やす手間と時間の削減が可能になった。
【００２６】
実施の形態２．
次に、この発明の実施の形態２を図に基づいて説明する。
図６は、この発明の実施の形態２によるプラント監視装置を説明するための説明図である。
図６は、プラント監視装置のお気に入り機能を利用した、データ（過去データ）一括表示機能の構成を表し、データ格納部に格納されている過去データを表示させるようにしたものである。
図６において、１００、２００、１１０、１２０、２１０、２２０、２３０ａ、２４０ａ、２４１ａ、２６０は図３におけるものと同一のものである。図６では、オペレータは予め、任意のプラント監視機能に対し、データ格納部２６０に格納されているデータの内、頻繁に使用する任意の期間の任意のデータを割付け、グループ（画面データ）として登録し、データサーバ２００内にグループに関する情報を記憶させ、記憶させたメモリ上のアドレスへのリンクを“お気に入り”フォルダ内に保持して、表示端末１００に表示する。
オペレータが、表示端末１００にて、表示端末１００に表示させたいグループ（例として、トレンドグラフ“グループＢ”）を選択し、表示リクエストを送信すると、表示端末１００は、データサーバ２００のお気に入り機能内のグループＢ管理２４２ａを介して、データ格納部２６０からトレンドグラフ“グループＢ”の画面データを受信し、目的の画面データが表示端末１００に表示されるようになっている。
データ格納部２６０に格納されている過去のデータは、期間や一日の内の時間帯などでグループ化することもできる。
【００２７】
図７は、この発明の実施の形態２によるプラント監視装置の動作を示すフロー図である。
【００２８】
次に動作について、図７のフロー図を用いて説明する。
開始からＳｔｅｐ４０までと、Ｓｔｅｐ８０から終了までは図４、図５のフロー図と同じ処理を行っている。ここでは、Ｓｔｅｐ５１、Ｓｔｅｐ７１の詳細を説明する。
Ｓｔｅｐ５１．
グループ管理２４０ａは、データ格納部２６０に対し、“グループＢ”として登録されている任意の期間の任意のデータを送信するよう、送信指令を送信する。
Ｓｔｅｐ７１．
データ格納部２６０は、グループ管理２４０ａに対し、データ格納部２６０に格納されているデータの内、送信指令を受けた任意の期間の任意のデータを送信する。
【００２９】
実施の形態２によれば、オペレータは、任意のグループを一度選択するだけで、必要とするプラント監視機能上で、表示したい任意の期間の任意のデータを一度に監視することが可能となるため、データを監視する際に必要だった、プラント監視機能の選択・表示作業及び、データ（項目、期間）の選択・表示作業に費やす手間と時間の削減が可能になった。
【００３０】
なお、上記実施の形態２の説明では、過去データの表示について説明したが、過去データと現在の最新データを組み合わせてグループを形成し、“お気に入り”フォルダ内に格納しておき、これらを一度の表示させるようにすることもできる。
【００３１】
実施の形態３．
この発明の実施の形態３を図に基づいて説明する。
図８は、この発明の実施の形態３によるプラント監視装置を説明するための説明図である。図８では、お気に入り機能を利用したリムーバブルディスク保存データの一括表示機能についてのものである。すなわち、図６のデータ一括表示の対象データに、リムーバブルディスクに格納されているデータを付加している。
図８において、１００、２００、１１０、１２０、２１０、２２０、２３０ａ、２４０ａ、２４１ａ、２５０、２５５、２６０は図３におけるものと同一のものである。図８では、データサーバ２００には、リムーバブルディスク３００が新たに付加されており、リムーバブルディスク３００には、データを格納するデータ格納部３６０、グループ内のデータ情報を管理する機能（グループＤ管理３４１ａ、グループＥ管理３４２ａなど）が付加されている。
リムーバブルディスク管理３７０に対し、データバッファ管理２５０、データバッファ部２５５、データ格納部２６０、グループＡ管理２４１ａなどは、ローカルディスク管理２７０により管理されるものとした。
リムーバブルディスク３００には、過去のデータが選択されて格納されている。
【００３２】
オペレータは予め、任意のプラント機能に対し、リムーバブルディスク３００内のデータ格納部３６０に格納されているデータの内、頻繁に使用する任意の期間の任意のデータを割付け、グループ（画面データ）として登録し、リムーバブルディスク３００内にグループに関する情報を記憶させ、記憶させたメモリ上のアドレスへのリンクを“お気に入り”フォルダ内に保持して、表示端末１００に表示する。
オペレータが、表示端末１００にて、表示端末１００に表示させたいグループ（例として、トレンドグラフ“グループＥ”）が保存されているディスクとグループを選択し、表示リクエストを送信すると、表示端末１００がトレンドグラフ“グループＥ”の画面データを受信し、目的の画面データ表示端末１００に表示される。
【００３３】
図９は、この発明の実施の形態３によるプラント監視装置の動作を示すフロー図である。
【００３４】
次に動作について、図９のフロー図を用いて説明する。
図９では、開始からＳｔｅｐ３０までと、Ｓｔｅｐ８０から終了までは、図４、図７のフロー図と同じ処理を行っている。ここでは、Ｓｔｅｐ４３からＳｔｅｐ８１までの詳細
について説明する。
Ｓｔｅｐ４３．
グループ管理２４０ａは、リムーバブルディスク管理３７０に対し、“グループＥ”データの送信リクエストを行う。
Ｓｔｅｐ４６．
リムーバブルディスク管理３７０は、グループＥ管理３４２ａを参照し、どのデータがグループＥとして登録されているのか、確認を行う。
Ｓｔｅｐ５６．
リムーバブルディスク管理３７０は、データ格納部３６０に対し、グループＥとして登録されている任意の期間の任意のデータを送信するよう、送信指令を送信する。
Ｓｔｅｐ７４．
データ格納部３６０は、リムーバブルディスク管理３７０に対し、データ格納部３６０に格納されているデータの内、送信指令を受けた任意の期間の任意のデータを送信する。Ｓｔｅｐ７６．
リムーバブルディスク管理３７０は、グループ管理２４０ａに対し、データ格納部３６０から受信したデータを送信する。
Ｓｔｅｐ８１．
グループ管理２４０ａは、トレンドグラフ管理２３０ａに対し、リムーバブルディスク管理３７０から受信したデータを送信する。
【００３５】
実施の形態３によれば、オペレータは、リムーバブルディスクに格納された任意のグループを一度選択するだけで、必要とするプラント監視機能上で、リムーバブルディスク内に格納されている表示したい任意の期間の任意のデータを一度に監視することが可能となるため、リムーバブルディスク格納データに関しても、データを監視する際に必要だった、プラント監視機能の選択・表示作業及び、データ（項目、期間）の選択・表示作業に費やす手間と時間の削減が可能になる。
【００３６】
実施の形態４．
この発明の実施の形態４を図に基づいて説明する。
図１０は、この発明の実施の形態４によるプラント監視装置を説明するための説明図である。
図１０では、同一画面を複数に分割した、複数分割画面におけるデータ一括表示機能の構成を表して、図８のデータ一括表示機能に複数分割画面同時表示機能を付加している。
図１０において、１００、２００、１１０、１２０、２１０、２２０、２３０ａ、２４０ａ、２４１ａ、２５０、２５５、２６０、２７０、３００、３４１ａ、３４２ａ、３６０、３７０は、図８におけるものと同一のものである。
図１０では、表示端末１００には、表示要求収集１３０が新たに付加されている。
オペレータは予め、任意のプラント機能に対し、リアルタイムデータ及び、データ格納部２６０に格納されているデータの内、頻繁に使用する任意のリアルタイムデータ及び、任意の期間の任意の過去データ（どちらも複数個可）を割付け、グループ（画面データ）として登録し、データサーバ内にグループに関する情報を記憶させ、記憶させたメモリ上のアドレスへのリンクを“お気に入り”フォルダ内に保持して、表示端末１００に表示する。
【００３７】
オペレータはまず、表示端末１００の表示画面を複数に分割し、画面分割数以下の数分、表示端末１００に表示させたいグループ（例として、トレンドグラフ“グループＡ”、“グループＣ”、“グループＥ”）を選択し、表示リクエストを個々に送信すると、表示リクエストを個々に受信した表示要求収集１３０が全ての表示リクエストを収集し、纏めて表示リクエストの送信を行う。
その後、表示端末１００は、表示要求収集１３０を経由して、データサーバ２００のグ
ループＡ管理２４１ａ、グループＣ管理２４３ａを介して、トレンドグラフ“グループＡ”、“グループＣ”、“グループＥ”の画面データを受信し、表示端末１００にこれらを同時に、表示端末１００に表示する。
【００３８】
図１１は、この発明の実施の形態４によるプラント監視装置の動作を示すフロー図である。
図１２は、図１１につづくプラント監視装置の動作を示すフロー図である。
【００３９】
図１３は、この発明の実施の形態４によるプラント監視装置の画面例を示す図である。
図１３（ａ）は、グループＣのトレンドグラフを示し、図１３（ｂ）は、グループＥのトレンドグラフを示すように、画面分割されて表示されている。
また、例えば、上の画面にはリムーバブルディスクの過去のデータを表示し、下の画面には現在のデータを表示するようにして、比較検討することができる。
【００４０】
次に動作について、図１１、図１２のフロー図を用いて説明する。
Ｓｔｅｐ２０からＳｔｅｐ３０まで、Ｓｔｅｐ４３、Ｓｔｅｐ４６、Ｓｔｅｐ５６、Ｓｔｅｐ７４、Ｓｔｅｐ７６からＳｔｅｐ９１まで、Ｓｔｅｐ１１０からＳｔｅｐ１１１までは、図４、図５、図７、図９のフロー図と同じ処理を行っているので、その説明を省略する。
ここでは、Ｓｔｅｐ１１からＳｔｅｐ１２まで、Ｓｔｅｐ４２、Ｓｔｅｐ４５、Ｓｔｅｐ５３からＳｔｅｐ５４まで、Ｓｔｅｐ６１、Ｓｔｅｐ７２からＳｔｅｐ７３まで、Ｓｔｅｐ７５、Ｓｔｅｐ１０２からＳｔｅｐ１０８までの詳細を説明する。
【００４１】
Ｓｔｅｐ１１．
オペレータより、トレンドグラフ“グループＡ”、“グループＣ”、“グループＥ”表示リクエストを個々に入力された表示端末入出力１１０は、表示要求収集１３０に対し、これらの表示リクエストを個々に送信する。
Ｓｔｅｐ１２．
表示要求収集１３０は、表示端末入出力１１０から送信された表示リクエスト（“グループＡ”、“グループＣ”、“グループＥ”）を収集し、纏めて、表示端末側Ｉ／Ｆ処理１２０を経由して送信する。
プラント監視機能一括管理２２０は、サーバ側Ｉ／Ｆ処理２１０を経由して、表示端末入出力１１０から送信される“グループＡ”、“グループＣ”、“グループＥ”表示リクエストを受信する。
【００４２】
Ｓｔｅｐ４２以降は、呼び出し元データがリムーバブルディスクに格納されているのか、ローカルディスクに格納されているのかにより、進むＳｔｅｐ番号が異なる。
＜ローカルディスク格納時＞
Ｓｔｅｐ４２．
グループ管理２４０ａは、ローカルディスク管理３７０に対し、“グループＡ”、“グループＣ”データ送信リクエストを送信する。
Ｓｔｅｐ４５．
ローカルディスク管理２７０は、グループＡ管理２４１ａ及びグループＣ管理２４３ａを参照し、どのデータがグループＡ及びグループＣとして登録されているのか、確認を行う。
【００４３】
Ｓｔｅｐ５３以降は、呼び出し元データが最新値（リアルタイム）データであるのか、過去データであるのかにより、進むＳｔｅｐ番号が異なる。
＜最新値データ呼び出し時＞
Ｓｔｅｐ５３．
ローカルディスク管理２７０は、データバッファ管理２５０に対し、グループＡとして登録されているデータの最新値を送信するよう、送信指令を送信する。
Ｓｔｅｐ６１．
データバッファ管理２５０は、ローカルディスク管理２７０からの、データ送信指令を受信する。
Ｓｔｅｐ７２．
データバッファ管理２５０は、ローカルディスク管理２７０に対し、データバッファ部２５５に格納されているデータの内、送信指令を受けたデータ（最新値）を送信する。
【００４４】
＜過去データ呼び出し時＞
Ｓｔｅｐ５４．
ローカルディスク管理２７０は、データ格納部２６０に対し、グループＣとして登録されているデータを送信するよう、送信指令を送信する。
Ｓｔｅｐ７３．
データ格納部２６０は、ローカルディスク管理２７０に対し、データ格納部２６０に格納されているデータの内、送信指令を受けた任意の期間の任意のデータを送信する。
Ｓｔｅｐ７５．
ローカルディスク管理２７０は、グループ管理２４０ａに対し、データバッファ管理２５０及び、データ格納部２６０から受信したデータを纏めて送信する。
【００４５】
Ｓｔｅｐ９０以降は、初回データ送信時と、二回目以降データ送信時で、進むＳｔｅｐ番号が異なる。
＜初回、データ送信時＞
Ｓｔｅｐ１０２．
プラント監視機能一括管理２２０は、表示要求収集１３０に対し、サーバ側Ｉ／Ｆ処理２１０を経由して、トレンドグラフ管理２３０ａから受信したデータをトレンドグラフベース画面に割付け、画面データとして送信する。表示要求収集１３０は、表示端末側Ｉ／Ｆ処理１２０を経由して、プラント監視機能一括管理２２０から送信される画面データを受信する。
【００４６】
＜二回目以降、データ送信時＞
Ｓｔｅｐ１０３．
プラント監視機能一括管理２２０は、表示要求収集１３０に対し、サーバ側Ｉ／Ｆ処理２１０を経由して、トレンドグラフ管理２３０ａから受信した、最新値データを送信する。表示要求収集１３０は、表示端末側Ｉ／Ｆ処理１２０を経由して、プラント監視機能一括管理２２０から送信される、最新値データを受信する。
Ｓｔｅｐ１０８．
表示端末入出力１１０は、表示要求収集１３０から送信される“グループＡ”“グループＣ”“グループＥ”データを、纏めて送信する。
【００４７】
表示端末１００に表示される画面例は、図１３に示すとおりである。グループＣのトレンドグラフを示す図１３（ａ）と、グループＥのトレンドグラフを示す図１３（ｂ）とに画面分割されて表示されている。
【００４８】
実施の形態４によれば、オペレータは、任意のグループを複数個選択するだけで、必要とするプラント監視機能上で、表示したい任意の期間の任意のデータを一度に、複数画面分監視することが可能となるため、データを監視する際に必要だった、複数画面分のプラント監視機能の選択・表示作業及び、データ（項目、期間）の選択・表示作業に費やす手間と時間の削減が可能になる。
【００４９】
実施の形態５．
この発明の実施の形態５を図に基づいて説明する。
図１４は、この発明の実施の形態５によるプラント監視装置を説明するための説明図である。
図１４では、データ一括表示機能のウィンドウ化の構成を示し、図１０のデータ一括表示機能に、ウィンドウ化機能を付加している。
図１４において、１００、２００、１２０、２１０、２２０、２３０ａ、２４０ａ、２４１ａ、２４３ａ、２５０、２５５、２６０、２７０、３００、３４１ａ、３４２ａ、３６０、３７０は、図１０におけるものと同一のものである。
図１４では、表示端末１００では、表示端末入出力を表示端末入力１１０ａ、表示端末出力１１０ｂに分割している。このように表示端末入力部と表示端末出力部を分けることで、オペレータは、表示端末１００上に表示させたいグループ（例として、トレンドグループ“グループＡ”）表示後、同一画面に別画面（例として、トレンドグラフ“グループＣ”、“グループＥ”）を複数個表示することが可能になる。
【００５０】
図１５は、この発明の実施の形態５によるプラント監視装置の動作を示すフロー図である。
図１５では、開始とＳｔｅｐ２０との間にＳｔｅｐ１４が配置されている。他のステップは図１１と同じ処理である。
【００５１】
図１６は、図１５につづくプラント監視装置の動作を示すフロー図である。
図１６では、Ｓｔｅｐ９１とＳｔｅｐ１１１との間にＳｔｅｐ１０５が配置され、Ｓｔｅｐ９０とＳｔｅｐ１１０の間にＳｔｅｐ１０４が配置されている。他のステップは、図１２と同じ処理である。
【００５２】
図１７は、この発明の実施の形態５によるプラント監視装置の画面例を示す図である。
図１７において、表示端末１００上に、複数個の画面データを表示させた（ウィンドウ化の）画面例を示している。
画面をウインドウ化しておき、自由に移動（拡大、縮小含む）させたり、順序を替えたりすることができる。
【００５３】
次に動作について、図１５、図１６のフロー図を用いて説明する。
ここでは、Ｓｔｅｐ１４、Ｓｔｅｐ１０４からＳｔｅｐ１０５までの詳細を説明する。Ｓｔｅｐ１４．
表示端末入出力１００は、オペレータがデータ表示要求ボタンを押下（例として、“グループＡ”データ表示後に“グループＣ”データ表示要求ボタンを押下、“グループＣ”データ表示後に“グループＥ”データ表示要求ボタンを押下）する毎に、プラント監視機能一括管理２２０に対し、表示端末側Ｉ／Ｆ処理１２０ａを経由して、表示リクエストの送信を行う。
プラント監視機能一括管理２２０は、サーバ側Ｉ／Ｆ処理２１０ａを経由して、表示端末入出力１１０から送信される表示リクエストの受信を都度行う。
【００５４】
Ｓｔｅｐ９０以降は、初回データ送信時と、二回目以降のデータ送信時で、進むＳｔｅｐ番号が異なる。
＜初回、データ送信時＞
Ｓｔｅｐ１０４．
プラント監視機能一括管理２２０は、表示端末出力１１０ｂに対し、サーバ側Ｉ／Ｆ処理２１０ａを経由して、トレンドグラフ管理２３０ａから受信したデータと、トレンドグラフベース画面の送信を行う。表示端末出力１１０ｂは、表示端末側Ｉ／Ｆ処理１２０ａを経由して、プラント監視機能一括管理２２０から送信されるデータと、トレンドグラフ
ベース画面の受信を行う。
【００５５】
＜二回目以降、データ送信時＞
Ｓｔｅｐ１０５．
プラント監視機能一括管理２２０は、表示端末出力１１０ｂに対し、サーバ側Ｉ／Ｆ処理２１０ａを経由して、トレンドグラフ管理２３０ａから受信した、新規最新値データの送信を行う。表示端末出力１１０ｂは、表示端末側Ｉ／Ｆ処理１２０ａを経由して、プラント監視機能一括管理２２０から送信される、新規最新値データの受信を行う。
【００５６】
表示端末１００上に、複数個の画面データを表示させた（ウィンドウ化の）画面例を図１７に示している。
【００５７】
実施の形態５によれば、オペレータは、一度のボタン操作（グループ選択）で、表示したい画面データ（プラント監視機能＋表示したい任意の期間の任意のデータ）を表示すること及び、同一画面上に複数個の画面データを表示することが可能になるため、データを監視する際に必要だった、複数回のプラント監視機能の選択・表示作業、データ項目及びデータ表示期間の選択・表示作業に費やす時間と手間の削減が可能になる。
【００５８】
実施の形態６．
この発明の実施の形態６を図１８に基づいて説明する。
図１８は、この発明の実施の形態６によるプラント監視装置を説明するための説明図である。
図１８では、データ一括表示機能の複数画面自動展開表示機能の構成を表すものであり、図１０のデータ一括表示機能において、複数個の画面データを、一定の順序で自動的に展開表示する機能を付加している。
図１８において、１００、２００、１１０ａ、１１０ｂ、１２０、２１０、２２０、２３０ａ、２４０ａ、２４１ａ、２４３ａ、２５０、２５５、２６０、２７０、３００、３４１ａ、３４２ａ、３６０、３７０は、図１４におけるものと、１３０は図１０におけるものとそれぞれ同一のものである。
図１８では、表示端末１００に、表示切替管理１４０が新たに付加されている。オペレータは、表示端末１００上に表示させたいグループ（例として、トレンドグループ“グループＡ”、“グループＣ”、“グループＥ”）を選択し、自動展開表示リクエストを送信すると、プラント監視機能一括管理２２０へ送信されてくる画面データ及び、新規データは、表示切替管理１４０に全て収集され、表示切替管理１４０にて画面データを更新し、一定の間隔毎に、一定の順序で、最新の画面データを、表示端末出力１１０ｂに送信する。表示端末出力１１０ｂは、画面データを受信する度に、表示端末１００上に表示している画面データを変更・更新する。
つまり、表示する順序を登録することで、例えば５分ごとに次画面を表示させることができる。
【００５９】
図１９は、この発明の実施の形態６によるプラント監視装置の動作を示すフロー図である。
図１９では、Ｓｔｅｐ７５、Ｓｔｅｐ８０、Ｓｔｅｐ９０、Ｓｔｅｐ９１は図１６における処理と同一の処理である。
【００６０】
次に動作について、図１９のフロー図を用いて説明する。
図１９は、図１５につづいて実行される。ここでは、Ｓｔｅｐ１０６からＳｔｅｐ１１２までの詳細を説明する。
Ｓｔｅｐ９０以降は、初回データ送信時と、二回目以降のデータ送信時で、進むＳｔｅｐ番号が異なる。
＜初回、データ送信時＞
Ｓｔｅｐ１０６．
プラント監視機能一括管理２２０は、表示切替管理１４０に対し、サーバ側Ｉ／Ｆ処理２１０ａを経由して、トレンドグラフ管理２３０ａから受信したデータと、トレンドグラフベース画面の送信を行う。表示端末出力１１０ｂは、表示端末側Ｉ／Ｆ処理１２０ａを経由して、プラント監視機能一括管理２２０から送信されるデータと、トレンドグラフベース画面の受信を行う。
【００６１】
＜二回目以降、データ送信時＞
Ｓｔｅｐ１０７．
プラント監視機能一括管理２２０は、表示切替管理１４０に対し、サーバ側Ｉ／Ｆ処理２１０ａを経由して、トレンドグラフ管理２３０ａから受信した、新規最新値データの送信を行う。表示端末出力１１０ｂは、表示端末側Ｉ／Ｆ処理１２０ａを経由して、プラント監視機能一括管理２２０から送信される、新規最新値データの受信を行う。
Ｓｔｅｐ１０９．
プラント監視機能一括管理２２０から、画面データ（トレンドグラフベース画面＋データ）と新規データを都度受信する表示切替管理１４０は、新規データ受信毎に画面データを更新し、表示端末出力１１０ｂに対し、一定時間毎に、一定の順序で、画面データの送信を、繰り返し行う。
Ｓｔｅｐ１１２．
表示端末出力１１０ｂは、表示切替管理１４０から最新画面データを受信する度、表示端末１００上の表示画面を更新する。
【００６２】
実施の形態６によれば、オペレータは、一度のボタン操作で、表示したい最新の画面データ（プラント監視機能＋表示したい任意の期間の任意のデータ）を一定の順番で自動表示することが可能になるため、データを監視する際に必要だった、複数回のプラント監視機能の選択・表示作業、データ項目及びデータ表示期間の選択・表示作業に費やす時間と手間、また複数の画面データを表示するときに必要だった、画面切替操作に費やす時間と手間の削減が可能になる。
【符号の説明】
【００６３】
１００  表示端末
１１０  表示端末入出力
１１０ａ  表示端末入力
１１０ｂ  表示端末出力
１２０  Ｉ／Ｆ処理
１３０  表示要求収集
２００  データサーバ
２１０  Ｉ／Ｆ処理
２２０  プラント監視機能一括管理
２３０  トレンドグラフ管理
２４０  グループ管理
２５０  データバッファ管理
２５５  データバッファ部
２６０  データ格納部
２７０  ローカルディスク管理
３００  リムーバブルディスク
３６０  データ格納部
３７０  リムーバブルディスク管理
【図１】
0005390424.tif 000002
【図２】
0005390424.tif 000003
【図３】
0005390424.tif 000004
【図４】
0005390424.tif 000005
【図５】
0005390424.tif 000006
【図６】
0005390424.tif 000007
【図７】
0005390424.tif 000008
【図８】
0005390424.tif 000009
【図９】
0005390424.tif 000010
【図１０】
0005390424.tif 000011
【図１１】
0005390424.tif 000012
【図１２】
0005390424.tif 000013
【図１３】
0005390424.tif 000014
【図１４】
0005390424.tif 000015
【図１５】
0005390424.tif 000016
【図１６】
0005390424.tif 000017
【図１７】
0005390424.tif 000018
【図１８】
0005390424.tif 000019
【図１９】
0005390424.tif 000020